(57)【要約】【課題】ガーゼ様の風合いを有し、保温性、柔軟性、通気性に優れる多重織物を提供する。【解決手段】多重織物を、平織組織からなる表布１１および裏布１２と、前記表裏布間にあって、平織組織からなる対向一対の基布１３ａをパイル経糸により結合した立体中布１３と、から構成し、表裏布１１、１２と立体中布１３とは、所定ピッチで結合部１４により結合する。立体中布１３により、嵩高になっているため、保温性、柔軟性、通気性、および吸湿性に優れ、かつガーゼ様の表裏布１１、１２のため涼やかな風合いを有する。【選択図】図１
2011032606.tif 000002
【特許請求の範囲】
【請求項１】
ガーゼ緯糸●とガーゼ経糸Ｗ１、Ｗ２の平織組織からなる表布１１および裏布１２と、
前記表裏布１１，１２間にあって、地緯糸○と地経糸Ｖ１、Ｖ２の平織組織からなる対向一対の基布１３ａ間に、パイル経糸Ｐ１、Ｐ２を所定の配列で架け渡して前記地緯糸○に交絡させてなる立体中布１３と、を備え、
前記表布１１と立体中布１３および前記裏布１２と立体中布１３とは、ガーゼ経糸Ｗ１、Ｗ２を地緯糸○に所定ピッチで交絡させてなる並列する結合部１４により結合された多重織物。
【請求項２】
ガーゼ緯糸●とガーゼ経糸Ｗ１、Ｗ２の平織組織からなる表布１１および裏布１２と、
前記表裏布１１，１２間にあって、地緯糸○と地経糸Ｖ１、Ｖ２の平織組織からなる対向一対の基布１３ａ間に、パイル経糸Ｐ１、Ｐ２を所定の配列で架け渡して前記地緯糸○に交絡させてなる立体中布１３と、を備え、
前記表布１１と立体中布１３および前記裏布１２と立体中布１３とは、地経糸Ｖ１、Ｖ２をガーゼ緯糸●に所定ピッチで交絡させてなる並列する結合部１４によりにより結合された多重織物。
【請求項３】
前記パイル経糸Ｐ１、Ｐ２の配列を、隣接するパイル経糸Ｐ１、Ｐ２同士で対称形とした請求項１または２に記載の多重織物。
【請求項４】
緯糸として、地緯糸○およびガーゼ緯糸●を、経糸として、地経糸Ｖ１、Ｖ２、ガーゼ経糸Ｗ１、Ｗ２およびパイル経糸Ｐ１、Ｐ２を、それぞれ準備し、
地緯糸○が1本、ガーゼ緯糸●が２本からなる組を繰り返し配列したものを上下一対に配置し、
地経糸Ｖ１、Ｖ２を１本おきの地緯糸○の内側から外側を経て内側にまわり込むように通して地緯糸○に交絡させ、かつ所定ピッチでガーゼ緯糸●にも交絡させ、
ガーゼ経糸Ｗ１、Ｗ２を地緯糸○とガーゼ緯糸●の間を内側から外側に向けて通し、かつガーゼ緯糸●同士の間を外側から内側に向けて通してガーゼ緯糸●に交絡させ、
パイル経糸Ｐ１、Ｐ２を上下の地緯糸○間に架け渡し、地緯糸○の内側から外側を経て内側にまわり込むように通して地緯糸○に交絡させる多重織物１０の製造方法。
【請求項５】
緯糸として、地緯糸○およびガーゼ緯糸●を、経糸として、地経糸Ｖ１、Ｖ２、ガーゼ経糸Ｗ１、Ｗ２およびパイル経糸Ｐ１、Ｐ２を、それぞれ準備し、
地緯糸○が１本、ガーゼ緯糸●が２本からなる組を繰り返し配列したものを上下一対に配置し、
地経糸Ｖ１、Ｖ２を１本おきの地緯糸○の内側から外側を経て内側にまわり込むように通して地緯糸○に交絡させ、
ガーゼ経糸Ｗ１、Ｗ２を地緯糸○とガーゼ緯糸●の間を内側から外側に向けて通し、かつガーゼ緯糸●同士の間を外側から内側に向けて通してガーゼ緯糸●に交絡させ、かつ所定ピッチで地緯糸○にも交絡させ、
パイル経糸Ｐ１、Ｐ２を上下の地緯糸○間に架け渡し、地緯糸○の内側から外側を経て内側にまわり込むように通して地緯糸○に交絡させる多重織物１０の製造方法。
【発明の詳細な説明】
【技術分野】
【０００１】
この発明は、多重織物およびその製造方法に関する。
より詳しくは、ガーゼ様の風合いを持つ表裏布の間に立体構造を有する嵩高の中布を備えた多重織物およびその製造方法に関する。
【背景技術】
【０００２】
各種衣料や寝具などの生地となる織物として、ループパイルを有するタオル織物やカットパイルを有するパイル織物が知られているが、これらの織物はその風合い等から冬場に用いるには好適であるが、夏場に用いるにはあまり適していない。
ところが、昨今の地球温暖化や住環境の変化に伴って、年間を通じて用いるのに好適な織物が市場で求められつつある。
【０００３】
そのような織物として、特許文献１および２のような、ガーゼ用の平織組織を多重に積層した多重織物が発案されており、このような平織組織の積層により、ガーゼの涼やかな風合いを保ちつつ保温性を高めることに一定の成果をおさめてはいる。
【０００４】
しかし、平織組織を積層するだけでは、保温性を高めるにも限度があり、やわらかさ、通気性などにも課題が残る。
また、製造工程においては、一度の筬打ちに一本の緯糸しか打ち込めないため、多重にすればするほど緯糸の打ち込み回数が増し、生産効率が悪い問題もある。
【先行技術文献】
【特許文献】
【０００５】
【特許文献１】２００４−１０７８２３号公報
【特許文献２】２００４−１０７８２４号公報
【発明の概要】
【発明が解決しようとする課題】
【０００６】
そこで、この発明は、ガーゼ様の風合いを有し、保温性、柔軟性、通気性に優れ、かつ生産効率の高い多重織物を提供することを課題とする。
【課題を解決するための手段】
【０００７】
上記した課題を解決するため、この発明の多重織物を、ガーゼ緯糸とガーゼ経糸の平織組織からなる表布および裏布と、前記表裏布間にあって、地緯糸と地経糸の平織組織からなる対向一対の基布間に、パイル経糸を所定の配列で架け渡して前記地緯糸に交絡させてなる立体中布と、を備えるものとしたのである。
ここで、前記表布と立体中布および前記裏布と立体中布とは、ガーゼ経糸を地緯糸に所定ピッチで交絡させることまたは地経糸をガーゼ緯糸に所定ピッチで交絡させてなる結合部により結合されるものとする。
さらに前記パイル経糸の配列を、隣接するパイル経糸同士で対称形とするのが好ましい。
【０００８】
このように多重織物を構成すると、多重織物の内部が、一対の基布と、基布間をジグザグに渡って結合するパイル経糸とからなる立体構造の中布であるため、単に平織組織を積層する場合に比べて多重織物を嵩高にすることができる。したがって、多重織物の保温性、柔軟性、通気性が増し、吸湿性に優れる。
また、多重織物の表裏面は平織組織からなるガーゼ様の表裏布のため、単に平織組織を積層する場合に比べても涼やかな風合いは劣らない。
【０００９】
また、上記した課題を解決するため、この発明の多重織物の製造方法を、緯糸として、地緯糸およびガーゼ緯糸を、経糸として、地経糸、ガーゼ経糸およびパイル経糸を、それぞれ準備し、地緯糸が1本、ガーゼ緯糸が２本からなる組を繰り返し配列したものを上下一対に配置し、地経糸を１本おきの地緯糸の内側から外側を経て内側にまわり込むように通して地緯糸に交絡させ、かつ所定ピッチでガーゼ緯糸にも交絡させ、ガーゼ経糸を地緯糸とガーゼ緯糸の間を内側から外側に向けて通し、かつガーゼ緯糸同士の間を外側から内側に向けて通してガーゼ緯糸に交絡させ、パイル経糸を上下の地緯糸間に架け渡し、地緯糸の内側から外側を経て内側にまわり込むように通して地緯糸に交絡させる構成としたのである。
【００１０】
あるいは、上記した課題を解決するため、この発明の多重織物の製造方法を、緯糸として、地緯糸およびガーゼ緯糸を、経糸として、地経糸、ガーゼ経糸およびパイル経糸を、それぞれ準備し、地緯糸が1本、ガーゼ緯糸が２本からなる組を繰り返し配列したものを上下一対に配置し、地経糸を１本おきの地緯糸の内側から外側を経て内側にまわり込むように通して地緯糸に交絡させ、ガーゼ経糸を地緯糸とガーゼ緯糸の間を内側から外側に向けて通し、かつガーゼ緯糸同士の間を外側から内側に向けて通してガーゼ緯糸に交絡させ、かつ所定ピッチで地緯糸にも交絡させ、パイル経糸を上下の地緯糸間に架け渡し、地緯糸の内側から外側を経て内側にまわり込むように通して地緯糸に交絡させる構成としたのである。
【００１１】
これらのように多重織物の製造方法を構成すると、筬打の際に一度に上下一対に配置された緯糸を２本ごと打ち込むことができるため、単に平織組織を積層する場合に比べて生産効率が向上する。
【発明の効果】
【００１２】
発明にかかる多重織物を以上のように構成したので、ガーゼ様の風合いを有し、保温性、柔軟性、通気性に優れたものとでき、かつ生産効率を高めることができる。
【図面の簡単な説明】
【００１３】
【図１】実施形態の多重織物の一部断面斜視図
【図２】第１実施形態の多重織物織成時の、（ａ）は奇数筬目における、（ｂ）は偶数筬目における、それぞれ機械的配置を示す縦断面図
【図３】第１実施形態の多重織物の（ａ）は奇数筬目における、（ｂ）は偶数筬目における、縦断面図
【図４】第２実施形態の多重織物織成時の、（ａ）は奇数筬目における、（ｂ）は偶数筬目における、それぞれ機械的配置を示す縦断面図
【図５】第２実施形態の多重織物の（ａ）は奇数筬目における、（ｂ）は偶数筬目における、縦断面図
【発明を実施するための形態】
【００１４】
以下、図面を参照しつつ、この発明の実施形態について説明する。
【００１５】
図１のように、実施形態にかかる多重織物１０は、ガーゼ緯糸とガーゼ経糸の平織組織からなる表布１１および裏布１２と、地緯糸と地経糸の平織組織からなる対向一対の基布１３ａをジグザグに渡るパイル経糸により結合した立体中布１３と、からなる。
ここで、表布１１および裏布１２と、立体中布１３とは、一方向に所定ピッチで並列する複数の結合部１４により結合されている。
【００１６】
実施形態の多重織物１０は寝具等の生地として用いられ、立体中布１３により、嵩高になっているため、保温性、柔軟性、通気性、および吸湿性に優れ、かつガーゼ様の表裏布１１、１２のため涼やかな風合いを有する。このように、保温性と清涼性を併有しているため、四季を通じて好適に用いられる。
【００１７】
第１実施形態の多重織物１０の断面を図２および図３に示す。
図２（ａ）のように、奇数筬目における緯糸の配置は、地緯糸○１本に対しガーゼ緯糸●２本の組の繰返し配列を織物Ｘ、織物Ｙについて全く同じとし、かつ緯糸１から１８までを１リピート長さとしている。
すなわち、緯糸の２、５、８、１１・・・３ｎ−１（ｎは自然数、以下同じ）番目は地緯糸○となり、それ以外の３ｎ−２、３ｎ番目はガーゼ緯糸●となっている。
なお、ここで織物Ｘ、Ｙは上下に並列した状態で織成されるため、筬打の際に一度に緯糸を２本ごと打ち込むことができ、生産効率が高いものとなっている。
【００１８】
また織物Ｘにおいて、地経糸Ｖ1 は１つ置きの地緯糸○、すなわち５、１１、１７・・・６ｎ−１番目の地緯糸に内側から外側を経て内側に回り込むように交絡しており、かつ地経糸Ｖ1はガーゼ緯糸●の１８に交絡している。
一方織物Ｙにおいて、地経糸Ｖ1 は１つ置きの地緯糸○、すなわち２、８、１４・・・６ｎ−４番目の地緯糸に内側から外側を経て内側に回り込むように交絡しており、ガーゼ緯糸●には交絡していない。
【００１９】
さらに、図示のように、ガーゼ経糸Ｗ1は、織物Ｘでは１、４、７、１０・・・３ｎ−２番目のガーゼ緯糸●に、織物Ｙでは３、６、９、１２・・・３ｎ番目のガーゼ緯糸●にそれぞれ外側から内側を経て外側へ廻り込むように交絡している。
【００２０】
さらに、図示のように、パイル経糸Ｐ1 は織物Ｘの緯糸１〜９に対して、１では内側、２では外側、３から７では内側、８では外側、９では内側へ通された後、織物Ｙへと架け渡されている。
次にパイル経糸Ｐ１は織物Ｙの緯糸１０〜１８に対して、１０では内側、１１では外側、１２から１６では内側、１７では外側、１８では内側に通された後、織物Ｘへと架け渡されている。
織物Ｘの緯糸１９〜２７におけるパイル経糸Ｐ１の配列は上記緯糸１〜９におけるものとまったく同じであり、織物Ｙの緯糸２８〜３６におけるパイル経糸Ｐ１の配列は上記緯糸１０〜１８におけるものとまったく同じである。
以下、織物Ｘの緯糸９ｎ＋１〜９ｎ＋９におけるパイル経糸Ｐ１の配列は、緯糸１〜９におけるものと、織物Ｙの緯糸９ｎ＋１０〜９ｎ＋１８におけるパイル経糸Ｐ１の配列は、緯糸１０〜１８におけるものと、それぞれ一致する。
【００２１】
一方、図２（ｂ）のように、偶数筬目における緯糸の配置は、地緯糸○１本に対しガーゼ緯糸●２本の繰返し配列を織物Ｘ、織物Ｙについて全く同じとし、かつ緯糸１から１８までを１リピート長さとしている。
すなわち、緯糸の２、５、８、１１・・・３ｎ−１（ｎは自然数、以下同じ）番目は地緯糸○となり、それ以外３ｎ−２、３ｎ番目はガーゼ緯糸●となっている。
【００２２】
また織物Ｘにおいて、地経糸Ｖ２ は１つ置きの地緯糸○、すなわち２、８、１４・・・６ｎ−４番目の地緯糸に内側から外側を経て内側に回り込むように交絡し、かつガーゼ緯糸●には交絡していない。
一方織物Ｙにおいて、地経糸Ｖ２ は１つ置きの地緯糸○、すなわち５、１１、１７・・・６ｎ−１番目の地緯糸に内側から外側を経て内側に回り込むように交絡しており、かつ地経糸Ｖ２はガーゼ緯糸●の１８に交絡している。
【００２３】
さらに、図示のように、ガーゼ経糸Ｗ２は、織物Ｘでは３、６、９、１２・・・３ｎ番目のガーゼ緯糸●に、織物Ｙでは１、４、７、１０・・・３ｎ−２番目のガーゼ緯糸●にそれぞれ外側から内側を経て外側へ廻り込むように交絡している。
【００２４】
さらに、図示のように、パイル経糸Ｐ２ は織物Ｙの緯糸１〜９に対して、１では内側、２では外側、３から７では内側、８では外側、９では内側へ通された後、織物Ｘへと掛け渡されている。
次にパイル経糸Ｐ２は織物Ｘの緯糸１０〜１８に対して、１０では内側、１１では外側、１２から１６では内側、１７では外側、１８では内側に通された後、織物Ｙへと架け渡されている。
織物Ｙの緯糸１９〜２７におけるパイル経糸Ｐ２の配列は上記緯糸１〜９におけるものとまったく同じであり、織物Ｘの緯糸２８〜３６におけるパイル経糸Ｐ２の配列は上記緯糸１０〜１８におけるものとまったく同じである。
以下、織物Ｙの緯糸９ｎ＋１〜９ｎ＋９におけるパイル経糸Ｐ２の配列は、緯糸１〜９におけるものと、また織物Ｘの緯糸９ｎ＋１０〜９ｎ＋１８におけるパイル経糸Ｐ２の配列は、緯糸１０〜１８におけるものと、それぞれ一致する。
【００２５】
すなわち、偶数筬目における緯糸の配置は奇数筬目におけるものと同じであり、偶数筬目における経糸の配置は奇数筬目におけるものと表裏が逆転した関係（対称形）になっている。
【００２６】
第１実施形態における多重織物１０の緯糸および経糸の機械的配置は以上のようである。次に織成を終えると、ガーゼ緯糸とガーゼ経糸からなる平織組織と、地緯糸と地経糸からなる平織組織とは、地経糸Ｖ1、Ｖ２がガーゼ緯糸●の１８に交絡しているのを除いて、互いに拘束する関係にはないため、自然と図３のように分離する。
【００２７】
ここでガーゼ緯糸●とガーゼ経糸Ｗ１、Ｗ２からなる平織組織は、ガーゼ緯糸●とガーゼ経糸Ｗ１、Ｗ２として、地緯糸○や地経糸Ｖ１、Ｖ２、パイル経糸Ｐ１、Ｐ２よりも細い（小径）ものが用いられているため、ガーゼ状の風合いを有する通気性の良い表布１１および裏布１２となる。
また、地緯糸○と地経糸Ｖ１、Ｖ２からなる平織組織は基布１３ａとなり、この基布１３ａと基布間を結合するパイル経糸Ｐ１、Ｐ２とで立体構造で嵩の高い立体中布１３となる。また、地経糸Ｖ1、Ｖ２がガーゼ緯糸●の１８に交絡した部分が図１の結合部１４を構成する。
【００２８】
また第２実施形態の多重織物１０の断面を図４および図５に示す。
図４（ａ）のように、奇数筬目における緯糸の配置は、地緯糸○１本に対しガーゼ緯糸●２本の組の繰返し配列を織物Ｘ、織物Ｙについて全く同じとし、かつ緯糸１から１８までを１リピート長さとしている。
すなわち、緯糸の２、５、８、１１・・・３ｎ−１番目は地緯糸○となり、それ以外３ｎ−２、３ｎ番目はガーゼ緯糸●となっている。
【００２９】
また織物Ｘにおいて、地経糸Ｖ1 は１つ置きの地緯糸○、すなわち５、１１、１７・・・６ｎ−１番目の地緯糸に内側から外側を経て内側に回り込むように交絡している。
一方織物Ｙにおいて、地経糸Ｖ1 は１つ置きの地緯糸○、すなわち２、８、１４・・・６ｎ−４番目の地緯糸に内側から外側を経て内側に回り込むように交絡している。
【００３０】
さらに、図示のように、ガーゼ経糸Ｗ1は、織物Ｘでは１、４、７、１０・・・３ｎ−２番目のガーゼ緯糸●に、外側から内側を経て外側へ廻り込むように交絡しており、かつ１７番目の地緯糸○にも交絡している。
一方織物Ｙにおいて、ガーゼ経糸Ｗ１は、３、６、９、１２・・・３ｎ番目のガーゼ緯糸●にそれぞれ外側から内側を経て外側へ廻り込むように交絡しており、地緯糸○には交絡していない。
【００３１】
さらに、図示のように、パイル経糸Ｐ1 は織物Ｘの緯糸１〜９に対して、１では内側、２では外側、３から７では内側、８では外側、９では内側へ通された後、織物Ｙへと架け渡されている。
次にパイル経糸Ｐ１は織物Ｙの緯糸１０〜１８に対して、１０では内側、１１では外側、１２から１６では内側、１７では外側、１８では内側に通された後、織物Ｘへと架け渡されている。
織物Ｘの緯糸１９〜２７におけるパイル経糸Ｐ１の配列は上記緯糸１〜９におけるものとまったく同じであり、織物Ｙの緯糸２８〜３６におけるパイル経糸Ｐ１の配列は上記緯糸１０〜１８におけるものとまったく同じである。
以下、織物Ｘの緯糸９ｎ＋１〜９ｎ＋９におけるパイル経糸Ｐ１の配列は、緯糸１〜９におけるものと、また織物Ｙの緯糸９ｎ＋１０〜９ｎ＋１８におけるパイル経糸Ｐ１の配列は、緯糸１０〜１８におけるものと、それぞれ一致する。
【００３２】
一方、図４（ｂ）のように、偶数筬目における緯糸の配置は、地緯糸○１本に対しガーゼ緯糸●２本の繰返し配列を織物Ｘ、織物Ｙについて全く同じとし、かつ緯糸１から１８までを１リピート長さとしている。
すなわち、緯糸の２、５、８、１１・・・３ｎ−１（ｎは自然数、以下同じ）番目は地緯糸○となり、それ以外３ｎ−２、３ｎ番目はガーゼ緯糸●となっている。
【００３３】
また織物Ｘにおいて、地経糸Ｖ２ は１つ置きの地緯糸○、すなわち２、８、１４・・・６ｎ−４番目の地緯糸に内側から外側を経て内側に回り込むように交絡している。
一方織物Ｙにおいて、地経糸Ｖ２ は１つ置きの地緯糸○、すなわち５、１１、１７・・・６ｎ−１番目の地緯糸に内側から外側を経て内側に回り込むように交絡している。
【００３４】
さらに、図示のように、ガーゼ経糸Ｗ２は、織物Ｘでは３、６、９、１２・・・３ｎ番目のガーゼ緯糸●にそれぞれ外側から内側を経て外側へ廻り込むように交絡しており、地緯糸○には交絡していない。
一方織物Ｙにおいて、ガーゼ経糸Ｗ２は、１、４、７、１０・・・３ｎ−２番目のガーゼ緯糸●に、外側から内側を経て外側へ廻り込むように交絡しており、かつ１７番目の地緯糸○にも交絡している。
【００３５】
さらに、図示のように、パイル経糸Ｐ２ は織物Ｙの緯糸１〜９に対して、１では内側、２では外側、３から７では内側、８では外側、９では内側へ通された後、織物Ｘへと渡されている。
次にパイル経糸Ｐ２は織物Ｘの緯糸１０〜１８に対して、１０では内側、１１では外側、１２から１６では内側、１７では外側、１８では内側に通された後、織物Ｙへと渡されている。
織物Ｙの緯糸１９〜２７におけるパイル経糸Ｐ２の配列は上記緯糸１〜９におけるものとまったく同じであり、織物Ｘの緯糸２８〜３６におけるパイル経糸Ｐ２の配列は上記緯糸１０〜１８におけるものとまったく同じである。
以下、織物Ｙの緯糸９ｎ＋１〜９ｎ＋９におけるパイル経糸Ｐ２の配列は、緯糸１〜９におけるものと、織物Ｘの緯糸９ｎ＋１０〜９ｎ＋１８におけるパイル経糸Ｐ２の配列は、緯糸１０〜１８におけるものと、それぞれ一致する。
【００３６】
すなわち、偶数筬目における緯糸の配置は奇数筬目におけるものと同じであり、偶数筬目における経糸の配置は奇数筬目におけるものと表裏が逆転した関係にある。
【００３７】
第２実施形態における多重織物１０の緯糸および経糸の機械的配置は以上のようである。次に織成を終えると、ガーゼ緯糸とガーゼ経糸からなる平織組織と、地緯糸と地経糸からなる平織組織とは、ガーゼ経糸Ｗ1、Ｗ２が地緯糸○の１７に交絡しているのを除いて、互いに拘束する関係にはないため、自然と図５のように分離する。
【００３８】
ここでガーゼ緯糸●とガーゼ経糸Ｗ１、Ｗ２からなる平織組織は、ガーゼ緯糸●とガーゼ経糸Ｗ１、Ｗ２として、地緯糸○や地経糸Ｖ１、Ｖ２、パイル経糸Ｐ１、Ｐ２よりも細い（小径）ものが用いられているため、ガーゼ状の風合いを有する通気性の良い表布１１および裏布１２となる。
また、地緯糸○と地経糸Ｖ１、Ｖ２からなる平織組織は基布１３ａとなり、この基布と基布間を結合するパイル経糸Ｐ１、Ｐ２とで立体構造で嵩の高い立体中布１３となる。また、ガーゼ経糸Ｗ１、Ｗ２が、１７番目の地緯糸○に交絡した部分が図１の結合部１４を構成する。
【００３９】
パイル経糸Ｐ１、Ｐ２を、一対の基布１３ａ間に架け渡して、その地緯糸○にジグザグに交絡させるパターンは、上記実施形態に限られない。
また、表布１１および裏布１２と基布１３ａとを結合する結合部１４の位置、間隔等は上記実施形態に限定されず、任意に設定可能である。
また、糸の材質も特に限定されないが、ポリエステル、綿が例示できる。このような糸には、適宜抗菌加工、防カビ加工などを施すことができる。
【産業上の利用可能性】
【００４０】
この多重織物は、ガーゼ様の涼やかな風合いを有し、かつ嵩高で保温性、柔軟性、通気性に優れるため、各種衣料や寝具などの生地として、年間を通じて利用可能である。
【符号の説明】
【００４１】
１０  実施形態の多重織物
１１  表布
１２  裏布
１３  立体中布
１３ａ  基布
１４  結合部
Ｘ、Ｙ  織物
Ｖ１、Ｖ２  地経糸
Ｗ１、Ｗ２  ガーゼ経糸
Ｐ１、Ｐ２  パイル経糸
○  地緯糸
●  ガーゼ緯糸
【図１】
2011032606.tif 000003
【図２】
2011032606.tif 000004
【図３】
2011032606.tif 000005
【図４】
2011032606.tif 000006
【図５】
2011032606.tif 000007